(57)【要約】【課題】ジャムが発生した際に、用紙搬送経路上のジャム発生箇所の上流から下流に至る全ての領域において、残留している用紙の除去作業を軽減可能な画像形成システムを提供する。【解決手段】用紙に画像を形成し、排紙ローラ１０２により用紙を排出する画像形成装置１００と、画像形成装置１００に連結された用紙に綴じ処理を行う用紙後処理装置２００と、を有する画像形成システムであって、用紙後処理装置２００には用紙に後処理を行わずに収集する退避部２０２が備えられており、ジャム発生時は排紙ローラ１０２の高さを調整することで用紙を退避部２０２へ搬送する。【選択図】  図１
2015218014.tif 000002
【特許請求の範囲】
【請求項１】
用紙に画像を形成する画像形成手段と、
前記画像形成手段によって画像が形成された用紙を排出する第１の用紙排出手段と、
を有する画像形成装置に、
用紙に後処理を行う後処理手段と、
用紙を収集する用紙収集手段と、
用紙を排出する第２の用紙排出手段と、
用紙を前記後処理手段、前記第２の用紙排出手段の順に搬送する第１の搬送経路と、
用紙を前記用紙収集手段に搬送する第２の搬送経路と、
を有する少なくとも１つの用紙後処理装置を連結した画像形成システムであって、
前記第１の用紙排出手段が排出した用紙を、前記第１の搬送経路へ送るか、前記第２の搬送経路へ送るかを切り替える第１の用紙搬送先切替手段を有することを特徴とする画像形成システム。
【請求項２】
前記第２の用紙排出手段が排出した用紙を、次に連結された前記用紙後処理装置の前記第１の搬送経路へ送るか、前記第２の搬送経路へ送るかを切り替える第２の用紙搬送先切替手段を有することを特徴とする請求項１記載の画像形成システム。
【請求項３】
前記第１の用紙搬送先切替手段は、前記第１の用紙排出手段の高さを変更することで用紙の排出先を切り替えることを特徴とする請求項１または２記載の画像形成システム。
【請求項４】
前記第２の用紙搬送先切替手段は、前記第２の用紙排出手段の高さを変更することで用紙の排出先を切り替えることを特徴とする請求項１から３のいずれか１項に記載の画像形成システム。
【請求項５】
前記第１の用紙搬送先切替手段は、
用紙搬送中にジャムが発生した場合、前記ジャムが発生した位置より下流に存在する用紙は第１の搬送経路に送り、前記ジャムが発生した位置より上流に存在する用紙は第２の搬送経路に送るように排出先を切り替えることを特徴とする請求項３に記載の画像形成システム。
【請求項６】
前記第２の用紙搬送先切替手段は、
用紙搬送中にジャムが発生した場合、前記ジャムが発生した位置より下流に存在する用紙は第１の搬送経路に送り、前記ジャムが発生した位置より上流に存在する用紙は第２の搬送経路に送るように排出先を切り替えることを特徴とする請求項４に記載の画像形成システム。
【請求項７】
前記後処理手段は、
予め設定した枚数の用紙を綴じて冊子を作成する冊子作成処理手段であり、
ジャムが発生した際に、前記下流に存在する用紙の枚数が前記予め設定した枚数以上である場合は、冊子を作成することを特徴とする請求項５または６に記載の画像形成システム。
【発明の詳細な説明】
【技術分野】
【０００１】
本発明は画像形成システムに関し、特にジャムが発生した際に用紙を排出可能な画像形成システムに関する。
【背景技術】
【０００２】
従来から、画像形成装置に接続され、画像形成装置から排紙された用紙の折りや冊子の作成を行う後処理装置が知られている。単数または複数の後処理装置と画像形成装置を接続した画像形成システムにおいてジャムが発生すると、ジャム紙以外にも多くの用紙が用紙搬送経路上に残留し、ジャム発生時の用紙の除去作業に多くの工数が掛かるという問題があった。
【０００３】
その問題の対応の為に、専用の用紙退避部を設けて、紙搬送パスを切り替えて、ダメージを受けていない紙については、退避部に退避させたり、排紙トレイに排出したりする技術が既に知られている。
【０００４】
特許文献１では、後処理装置を接続した画像形成システムにおいて、ジャム発生時にジャム紙以外のシステム内に残留する用紙の除去作業を軽減する発明について記載されている。特許文献１記載の発明においては、ジャムが発生した際に、ジャムの発生位置に応じてジャム紙以降の下流側で停止する用紙について、停止させずにそのまま排出する事で、不要な用紙除去の手間を軽減している。
【発明の概要】
【発明が解決しようとする課題】
【０００５】
画像形成装置及び後処理装置を含む画像形成システムにおいてジャムが発生した場合、用紙搬送経路上のジャムが発生した箇所の上流及び下流の両方に用紙が残留している可能性がある。
【０００６】
特許文献１記載の発明によれば、ジャムが発生した箇所より下流側に残留している用紙の除去作業については軽減することができるが、ジャムが発生した箇所より上流側に残留している用紙の除去作業については何ら考慮されていない。
【０００７】
その他にも、画像処理装置及び用紙後処理装置内部に搬送経路を切り替える経路切替部を設け、ジャムが発生した場合にはそれらの装置を作動させ、退避部へと用紙を搬送する方法が考えられる。
【０００８】
しかし、例えば画像形成装置内に経路切替部を設けた場合、画像形成装置内に用紙退避部を設ける必要があり、装置サイズが大きくなり、構造が複雑になるという問題がある。
【０００９】
また、例えば用紙後処理装置内に経路切替部を設けた場合、用紙後処理装置の入口付近でジャムが発生した場合に、ジャム発生箇所より上流に残留している後続の用紙を退避させることが困難になるという問題がある。
【００１０】
本発明の目的は、ジャムが発生した際に、用紙搬送経路上のジャム発生箇所の上流から下流に至る全ての領域において、残留している用紙の除去作業を軽減可能な画像形成システムを提供することにある。
【課題を解決するための手段】
【００１１】
本発明の画像形成システムは、用紙に画像を形成する画像形成手段と、前記画像形成手段によって画像が形成された用紙を排出する第１の用紙排出手段と、を有する画像形成装置に、用紙に後処理を行う後処理手段と、用紙を収集する用紙収集手段と、用紙を排出する第２の用紙排出手段と、用紙を前記後処理手段、前記第２の用紙排出手段の順に搬送する第１の搬送経路と、用紙を前記用紙収集手段に搬送する第２の搬送経路と、を有する少なくとも１つの用紙後処理装置を連結した画像形成システムであって、前記第１の用紙排出手段が排出した用紙を、前記第１の搬送経路へ送るか、前記第２の搬送経路へ送るかを切り替える第１の用紙搬送先切替手段を有することを特徴とする。
【発明の効果】
【００１２】
本発明によれば、ジャムが発生した際に、用紙搬送経路上のジャム発生箇所の上流から下流に至る全ての領域において、残留している用紙の除去作業を軽減可能な画像形成システムを提供することができる。
【図面の簡単な説明】
【００１３】
【図１】本発明の実施形態１の画像形成システムの構成を示す図である。
【図２】本発明の実施形態１の画像形成システムの構成を示す図である。
【図３】本発明の実施形態１の画像形成システムのジャム発生時の動作を示す図である。
【図４】本発明の実施形態２の画像形成システムの構成を示す図である。
【図５】本発明の実施形態２の画像形成システムのジャム発生時の動作を示す図である。
【図６】本発明の実施形態２の画像形成システムのジャム発生時の動作を示す図である。
【図７】本発明の実施形態２の画像形成システムの動作を示す図である。
【発明を実施するための形態】
【００１４】
＜実施形態１＞
本発明の実施形態１の構成及び動作について説明する。図１は、実施形態１の画像形成システムの構成を示している。図１に示すように画像形成装置１００は、排紙部１０１、排紙ローラ１０２、読取部１１０、表示部１２０を有する。
【００１５】
また、画像形成装置１００に連結された用紙後処理装置２００は用紙を綴じて冊子にまとめる後処理を行うための装置である。図１に示すように、用紙後処理装置２００は、入口ローラ２０１、退避部２０２、綴じ部２０３、排紙部２０４を有する。
【００１６】
排紙部１０１に設けられた排紙ローラ１０２は、上下に移動可能な構成となっている。排紙ローラ１０２から排紙され、入口ローラ２０１に受け渡された用紙は、排紙部２０４に搬送され排出される。
【００１７】
綴じ機能が選択されている場合、用紙は綴じ枚数分だけ綴じ部２０３に搬送され、冊子状態に揃えられた後、綴じ処理されて察し状態で搬送されて排紙部２０４に排出される。
【００１８】
図２は、画像形成装置１００と用紙後処理装置３００を接続した画像形成システムの構成を示す図である。用紙後処理装置３００は、図１に示す用紙後処理装置２００と同じ構成を有するが、入口ローラ３０１の位置が用紙後処理装置２００の入口ローラ２０１の位置より低い位置に備えられている。
【００１９】
図２に示すように、画像形成装置１００の排紙ローラ１０２の高さ調整を行い、図１と比べて低い位置に移動させ、用紙の受け渡しが最適に制御される。
【００２０】
このように、画像形成装置１００は、用紙の受け渡しを行う位置の高さが異なる用紙後処理装置が接続された場合でも、図示しない用紙搬送先切替手段により、用紙の受け渡しを行う位置の高さを調整し、排出先を切り替えることができる構成となっている。
【００２１】
図３は、図１に示す構成の画像形成システムにおいて、用紙搬送中にジャムを検出した際の動作を示している。用紙後処理装置２００においては、用紙センサ２０５、２０６及び２０７によって用紙ジャムを検出する。
【００２２】
図３に示すように、用紙センサ２０５、２０６及び２０７によって用紙ジャムを検出すると、排紙部１０１に備えられている排紙ローラ１０２を、用紙後処理装置２００の退避部２０２に受け入れるための受け入れ高さまで自動で移動させる。
【００２３】
この時、移動する位置を決定するためには、位置を検知するためのセンサを設ける構成としても良いし、センサを設けない構成としても良い。
【００２４】
例えば、センサを設ける場合は、画像形成装置１００の排紙部１０１にセンサを設け、排紙部２０４向かう第１の搬送経路及び退避部２０２へ向かう第２の搬送経路のそれぞれの位置にマークを用意しておく。そして、それらのマークを前述のセンサで読み取ることで位置を決定するようにしても良い。
【００２５】
また、センサを設けない構成とする場合は、例えば、用紙後処理装置２００の搬送経路の高さが予め定められ、記憶手段によって記憶しておく。そして、高さの情報を画像形成装置１００へ送信し、画像形成装置１００は排紙部１０１の高さを受信した高さに合わせるようにすれば良い。
【００２６】
そして、画像形成装置１００の搬送経路に残留している用紙を継続して搬送する事で、ジャム紙よりも上流の用紙を退避部２０２に収集する事が可能となり、従来、搬送経路中に残留していた用紙を取り除く作業が大幅に軽減される。
【００２７】
＜実施形態２＞
図４等を参照しながら、本発明の実施形態２の構成及び動作について説明する。図４は、複数の用紙後処理装置を有する画像形成システムの構成を示す図である。図４に示すように、画像形成装置１００には、用紙後処理装置１５０が接続され、さらに用紙後処理装置１５０には用紙後処理装置２００が接続されている。ここで、例として、用紙後処理装置１５０は用紙に対してパンチ処理を行う。
【００２８】
図４に示すように、用紙後処理装置１５０は、入口ローラ１５１、退避部１５２、パンチ処理を行うパンチ処理部１５３、排紙部１５４、排紙ローラ１５８を有する。排紙部１５４に設けられた排紙ローラ１５８は、画像形成装置１００の排紙部１０１に設けられた排紙ローラ１０２と同様に、用紙受け渡し高さを自動で調整可能となっている。
【００２９】
通常は、本体から排出された用紙は、用紙後処理装置１５０はパンチ処理部１５３でパンチ処理された後に、用紙後処理装置２００に受け渡され、その後、綴じ部２０３で冊子状態に揃えられ綴じ処理された後に、冊子状態で排紙部２０４に排出される。
【００３０】
図５は、図４に示す構成の画像形成システムにおいて、用紙後処理装置２００の用紙センサ２０５、２０６及び２０７のいずれかが用紙搬送中にジャムを検出した際の動作を示している。
【００３１】
この時、画像形成装置１００の排紙部１０１の排紙ローラ１０２及び用紙後処理装置１５０の排紙部１５４の排紙ローラ１５８のそれぞれを、退避部１５２及び退避部２０２のそれぞれに対応した高さに調整する。そして、搬送経路中の用紙を退避部１５２及び退避部２０２に収集することで搬送経路中の様々な箇所に用紙が残留してしまい、取り除きが困難となる状況を防ぐことができる。
【００３２】
図６は、図４に示す構成の画像形成システムにおいて、用紙後処理装置１５０の用紙センサ１５５、１５６及び１５７のいずれかが用紙搬送中にジャムを検出した際の動作を示している。
【００３３】
この時、画像形成装置１００の排紙部１０１の排紙ローラ１０２を、退避部１５２に対応した高さに調整し、搬送経路中の用紙を退避部１５２に収集する。図５の場合と異なり、用紙後処理装置１５０の排紙部１５４の排紙ローラ１５８の位置の調整は行わず、ジャムが発生した位置よりも下流に位置している用紙は、退避部２０２へ搬送することなく継続して用紙後処理装置２００に排出する。
【００３４】
そして、用紙後処理装置２００にて、綴じ部２０３に搬送し、綴じ処理が可能な冊子枚数に達している場合には、綴じ処理を実施してから、排紙部２０４に排出することで、ジャム処理後に再開した際に、無駄となる用紙の枚数を軽減する事ができる。
【００３５】
図７は、本発明の実施形態１の図４に示す構成の画像形成システムにおける動作を説明するフローチャートである。まず、用紙ジャムを検出する（ステップＳ１）。ここで、ジャムを検知した位置がフィニッシャー、即ち用紙後処理装置２００である場合（ステップＳ１００、Ｙｅｓ）について説明する。
【００３６】
この場合、画像形成装置１００の排紙部１０１の排紙ローラ１０２及び用紙後処理装置１５０の排紙部１５４の排紙ローラ１５８の高さを調整して（ステップＳ１０１）、退避部１５２及び２０２に用紙を退避させる（ステップＳ１０２）。その後、用紙を取り除き、処理を再開させる（ステップＳ１０３）。この場合は、図５の状態に相当する。
【００３７】
次に、ジャムを検出した位置が用紙後処理装置２００でなく（ステップＳ１００、Ｎｏ）、用紙を綴じて冊子の作成を行う用紙後処理装置２００に残留している綴じ処理を行う用紙の枚数が設定枚数未満の場合（ステップＳ２００、Ｙｅｓ）について説明する。この場合、画像形成装置１００の排紙部１０１の排紙ローラ１０２の高さを調整して（ステップＳ２０１）、画像形成装置１００内の用紙を退避部１５２に退避させる（ステップＳ２０２）。
【００３８】
そして、ジャム発生位置より下流に存在する用紙は排紙部２０４に排紙し（ステップＳ２０２）、その後、用紙を取り除き、処理を再開させる（ステップＳ２０３）。
【００３９】
さらに、用紙を綴じて冊子の作成を行う用紙後処理装置２００に残留している綴じ処理を行う用紙の枚数が設定枚数未満でない場合（ステップＳ２００、Ｎｏ）について説明する。前述の場合と同様に、画像形成装置１００の排紙部１０１の排紙ローラ１０２の高さを調整して（ステップＳ３０１）、画像形成装置１００内の用紙を退避部１５２に退避させる（ステップＳ３０２）。
【００４０】
そして、ジャムより下流に存在する用紙は排紙部２０４に排紙する前に、綴じ部２０３で綴じ処理を行う（ステップＳ３０２）。その後、用紙を取り除き、処理を再開させる（ステップＳ３０３）。
【００４１】
なお、上記の実施形態は、本発明の好適な実施形態であり、上記実施形態のみに本発明を限定するものではなく、本発明の要旨を逸脱しない範囲において種々の変更を施した形態での実施が可能である。
【００４２】
例えば、実施形態１及び２において、用紙後処理装置１５０はパンチ処理、用紙後処理装置２００は綴じ処理を行う装置としているが、これはあくまで例である。用紙後処理装置としては、例えば折り処理を行うものであっても良いし、裁断処理を行うものであっても良い。
【符号の説明】
【００４３】
１００    画像形成装置
１０１、１５４、２０４    排紙部
１０２、１５８    排紙ローラ
１１０    読取部
１２０    表示部
１５０、２００    用紙後処理装置
１５１、２０１    入口ローラ
１５２、２０２    退避部
１５３    パンチ処理部
１５５、１５６、１５７、２０５、２０６、２０７    用紙センサ
２０３    綴じ部
【先行技術文献】
【特許文献】
【００４４】
【特許文献１】特開平９−７１３６３号公報
【図１】
2015218014.tif 000003
【図２】
2015218014.tif 000004
【図３】
2015218014.tif 000005
【図４】
2015218014.tif 000006
【図５】
2015218014.tif 000007
【図６】
2015218014.tif 000008
【図７】
2015218014.tif 000009